(57)【特許請求の範囲】
【請求項１】
家屋の外壁を貫通する排気口に連結して屋外壁面上に設置され、排気消臭ユニット（１０）、消臭液容器（２２）を有する消臭液供給ユニット（２０）および消臭液供給ユニット（２０）と排気消臭ユニット（１０）とを連結する配管類（３０）からなる排気消臭装置において、
前記排気消臭ユニット（１０）と、前記消臭液容器（２２）を有する消臭液供給ユニット（２０）とが別々に設置され、
前記排気消臭ユニット（１０）を、ウエザーカバーと同等の厚みとなるように形成し、  市街地あるいは住居地の限られた狭い空間に設置可能とし、
前記排気消臭ユニット（１０）の流入口（１１ｂ）および１つあるいは複数の流出口（１１ｇ）を形成された箱体（１１）内の流出流路（１１ｎ）に対し、排気通過面積が広くなるよう形成した消臭膜（１２）へ消臭液を噴霧するように配置されたノズル（１３）を形成したことを特徴とする排気消臭装置。
【請求項２】
消臭膜（１２）が、排気消臭ユニット（１０）の流入流路（１１ｄ）から流出口（１１ｇ）に向かって、逆「ハ」の字状に２枚配し、およびこれら逆「ハ」の字状の消臭膜の間の狭い側に１枚を配して設けた形状か、Ｌ字状、円弧状、あるいはプリーツ状の形状から選ばれたものであることを特徴とする請求項１記載の排気消臭装置。
【請求項３】
前記消臭液供給ユニット（２０）は、前記ノズル（１３）から前記消臭膜（１２）へ噴霧されるミストが乾燥気化し排気とともに流出し消臭能力が落ちる時期を見計らって間欠噴霧させるようオンオフ制御弁用制御機器（３７）により消臭液を供給することを特徴とする請求項１または２記載の排気消臭装置。
【請求項４】
前記排気消臭ユニット（１０）は、流入口（１１ｂ）から各流出口（１１ｇ）に至る流出流路（１１ｎ）の断面積が拡大されていることを特徴とする請求項１ないし３いずれか１項記載の排気消臭装置。
【発明の詳細な説明】
【技術分野】
【０００１】
この発明は、家屋内から排気される空気の消臭装置に関し、特に、市街地あるいは住居地の限られた狭い空間に設置可能な排気消臭装置に関する。
【背景技術】
【０００２】
住居や商店、アパート、マンション等が密集している市街地あるいは住居地で、家屋内の空気が排出されている。たとえば、焼肉屋、ラーメン屋、その他の飲食店の厨房からの排気、食品加工所をはじめとする各種加工所からの排気、家庭の台所およびトイレからの排気等、種々の臭気を含んで排気が行われており、これ等の臭気が近接する住民および通行人に不快感を与えている。臭気を含む排気に対しては、特開２００５−２０５３１１号公報、特開平１１−１２３３１０号公報、特開平１１−５７３９１号公報等に示される排気脱臭装置（排気消臭装置）がある。
【０００３】
特開２００５−２０５３１１号公報には、オイルミストおよび臭気の除去機能を有し、既設の排気装置にも容易に追加付設できるクリーニングダクトおよびランニングシステムからなる厨房用の排気浄化装置（排気消臭装置）が示されている。すなわち、本発明のクリーニングダクトは、レンジフード等に繋がるダクトに連結して水平に配置され、流れ方向の複数箇所で洗浄用パネルにより仕切られ、最上流パネルの上流側にフォグノズル、最下流を除いた各パネルの下流側にウォーターカーテン回収法で排気の洗浄を行うミストノズルをそれぞれ設け、最下流パネルの下流側に圧損補償用部材（排気ファン）を設けて構成されている。またランニングシステムは、洗浄水管理機構、洗浄水加圧機構、油水分離機構および制御機構を有し、これ等の機構のための機器により構成されている。クリーニングダクトとランニングシステムとは、適宜の配管、配線等により連結されている。
【０００４】
特開平１１−１２３３１０号公報には、厨房等の室内に発生する臭気の除去に際して、基準以上の臭気が漏れることのない脱臭換気を実現できる脱臭換気システム（排気消臭システム）が示されている。すなわち、本発明の脱臭換気システムは、室内空気の屋外への排出流路となる換気ダクトの下流側に換気ファン、中間部に脱臭処理手段（ノズル）、脱臭処理手段（ノズル）の上流側および下流側に臭気汚染検出手段をそれぞれ設けられ、脱臭液供給手段、希釈液供給手段および混合栓により構成される脱臭溶液供給部が脱臭処理手段（ノズル）に連結され、脱臭制御回路により、臭気汚染検出手段の検出結果に基づいて、換気ファンの回転数、脱臭液供給手段の供給量および希釈液供給手段の供給量を制御可能に構成されている。脱臭換気システムは、上流側の臭気汚染検出手段が基準値以上を検出した場合に作動して下流側の臭気汚染検出手段の検出値を基準値以下に維持し、上流側の臭気汚染検出手段の検出値が基準値以下になれば停止する。
【０００５】
特開平１１−５７３９１号公報には、業務用厨房から排出される油脂分と臭気成分とを含む排気等を脱臭する装置が示されている。すなわち、本発明の排気脱臭装置は、薬液タンク、ポンプ等の送給手段および噴霧手段を収納するボックス、およびボックスの噴霧手段と厨房の排気を外部へ排出する排気ダクトの中間とを連結する枝ダクトにより構成されている。
【０００６】
【特許文献１】特開２００５−２０５３１１号公報
【特許文献２】特開平１１−１２３３１０号公報
【特許文献３】特開平１１−５７３９１号公報
【発明の開示】
【発明が解決しようとする課題】
【０００７】
従来の排気消臭装置は以上のように構成されていたため、つぎのような課題が存在していた。すなわち、特開２００５−２０５３１１号公報に示される排気消臭装置では、装置の構成が複雑であり、大きくて広い設置空間が必要であり、強力な排気ファンが必要であり、排気中は常時消臭液を供給している必要がある。特開平１１−１２３３１０号公報に示される排気消臭装置では、既設の屋内ダクトを改造する必要があり、装置の構成が複雑であり、屋内に新たな装置の設置空間が必要となり、装置の運転開始時および停止時に消臭液がノズルからボタ落ちして無駄に消費される。特開平１１−５７３９１号公報に示される排気消臭装置では、既設の屋内ダクトを改造する必要があり、屋内に新たな装置の設置空間が必要となり、排気中は常時消臭液を供給している必要がある。
【０００８】
従って、住居や商店、アパート、マンション等が密集している市街地あるいは住居地では近接する家屋間の狭い空間に設置することは困難であり、屋内のダクトの改造を必要とするとともに有効な空間を新たに占有することになり、また、消臭剤の一部が無駄に消費されている。
【０００９】
この発明は以上のような課題を解決するためになされたものであり、装置の構成が単純であり、設置空間が小さく狭くて済み、強力な排気ファンを必要とせず、既設の屋内ダクトを改造する必要がなく、屋内に新たな装置の設置空間を必要とせず、排気中常時消臭液を供給する必要が無くまた消臭液がノズルからボタ落ちせず、従って、近接する家屋間の狭い空間に設置することが容易に可能であり、消臭剤の無駄な消費がない排気消臭装置を提供することを目的とする。
【課題を解決するための手段】
【００１０】
この発明による排気消臭装置は、家屋の外壁を貫通する排気口に連結して屋外壁面上に設置される排気消臭ユニット、別に設置される消臭液供給ユニットおよび消臭液供給ユニットと排気消臭ユニットとを連結する配管類とにより構成されていることを特徴とする。  
【００１１】
詳細には、前記排気消臭ユニットが、家屋の外壁を貫通する排気口に直接連結される流入口および一つあるいは複数の流出口を形成された箱体、流入口から各流出口に到る断面積が拡大される箱体内の流路を横断して設けられた通気性を有する消臭膜および流路の上流側から消臭膜へ消臭液を噴霧するように配置されたノズルにより構成されていることを特徴とする。
【００１２】
詳細には、前記消臭液供給ユニットが、消臭液容器、消臭液供給ポンプ、および制御機器により構成されていることを特徴とする。
【００１３】
詳細には、前記配管類が、消臭液供給配管、消臭液供給配管の前記ノズル直前に設けられた逆止弁、消臭液供給配管の途中から前記消臭液容器へ到るバイパス配管、バイパス配管に設けられたオンオフ制御弁およびオンオフ制御弁用制御機器により構成されていることを特徴とする。
【発明の効果】
【００１４】
この発明による排気消臭装置は以上のように構成されていることにより、以下のような効果を得ることができる。すなわち、排気消臭装置が家屋の外壁を貫通する排気口に連結して屋外壁面上に設置される排気消臭ユニットと、別に設置される消臭液供給ユニットとに分割され、両ユニットを配管類により連結されるとともに、少なくとも排気消臭ユニットが、排気口の屋外側に通常設置されるウェザーカバーの排気口に直接取付け可能に構成されていることにより、装置の構成が単純化され、設置空間にあわせることができ、既設の屋内ダクトを改造する必要がなく、屋内に新たな装置の設置空間を必要としなくなる。  また、排気消臭ユニットを任意の厚みを変更して構成することにより、近接する家屋間の狭い空間にも設置することが容易に可能になる。
【００１５】
排気消臭装置を構成する排気消臭ユニットが、排気口に直接連結される流入口および複数の流出口を形成された箱体、箱体内の流入口から各流出口に到る断面積が拡大される流路を横断して設けられた通気性を有する消臭膜および流路の上流側から消臭膜へ消臭液を噴霧するように配置されたノズルにより構成されていることにより、流路の断面積および消臭膜の面積が拡大して排気抵抗が低下し、従って、強力な排気ファンを必要とせず、既設あるいは通常の排気ファンにより排気が十分に行われる。
【００１６】
排気消臭装置を構成する消臭液供給ユニットが、消臭液容器、消臭液供給ポンプ、ポンプ駆動電動機およびポンプ駆動電動機用電源機器により構成されていることにより、装置の構成が単純であり、設置空間が小さく狭くて済み、屋内に新たな装置の設置空間を必要とせず、従って、近接する家屋間の狭い空間に設置することが容易に可能になる。
【００１７】
排気消臭装置を構成する配管類が、消臭液供給配管、消臭液供給配管の前記ノズル直前に設けられたクラッキング圧力を一定の値に設定された逆止弁、消臭液供給配管の途中から前記消臭液容器へ到るバイパス配管、バイパス配管に設けられたオンオフ制御弁およびオンオフ制御弁用制御機器により構成されていることにより、消臭液がノズルからボタ落ちせず、消臭液が必要に応じて供給され、無駄に消費されなくなる。
【発明を実施するための最良の形態】
【００１８】
以下、図面とともにこの発明による排気消臭装置の好適な実施の形態について詳細に説明する。図１において、符号１で示すものは排気消臭装置であり、排気消臭装置（１）は排気消臭ユニット（１０）、消臭液供給ユニット（２０）および消臭液供給ユニット（２０）と排気消臭ユニット（１０）とを連結する配管類（３０）により構成されている。
【００１９】
前記排気消臭ユニット（１０）は、図１および図２に示すように、流入流路（１１ｄ）を形成する流入部（１１ａ）とその下流側においてＴ字状に直交し連通口（１１ｅ）を介して、水平方向に流出流路（１１ｎ）を形成する流出部（１１ｆ）とにより構成される箱体（１１）、流入流路（１１ｄ）および流出流路（１１ｎ）により構成される流路を横断して設けられる通気性を有する消臭膜（１２）および流路の上流側〔図２（ｂ）では流入流路（１１ｄ）内〕から消臭膜（１２）へ消臭液を噴霧するように配置されるとともに消臭液供給配管（３２）の先端に逆止弁（３６）を介して連結されるノズル（１３）により構成されている。
【００２０】
前記箱体（１１）の流入部（１１ａ）は横断面が矩形あるいは円形の短管（短いダクト）部材であり、一端（上流端）が流入口（１１ｂ）であり、周囲に組付け用のフランジ（１１ｃ）が形成されている。流入部（１１ａ）の矩形あるいは円形横断面の形状および寸法は、家屋の外壁を貫通する換気扇用排気口に組付け可能に形成されている。前記流出部（１１ｆ）は横断面が矩形の筒状部材であり、両端がそれぞれ流出口（１１ｇ）であり、一方の側面が流入部（１１ａ）の他端（下流端）に連結され、連通口（１１ｅ）により連通している。流出部（１１ｆ）の他方の側面には、保全用の開口（１１ｈ）が形成され、密閉可能および組付け取外し可能な開口カバー（１１ｋ）が開口（１１ｈ）を覆っている。流出部（１１ｆ）の底面には、複数箇所にドレン排出口（１１ｍ）が形成されている。  
【００２１】
前記流入部（１１ａ）および前記流出部（１１ｆ）により構成される前記箱体（１１）は、さらにその厚み、すなわち前記フランジ（１１ｃ）から前記開口カバー（１１ｋ）迄の組付け厚み寸法が、家屋の外壁を貫通する排気口の屋外側に通常設置されるウェザーカバーと同等の厚みとなるように構成されている。図２において、流出部（１１ｆ）は水平方向両端に前記流出口（１１ｇ）が位置しているが、流出口（１１ｇ）は一方向あるいは上下方向等のその他の方向に位置してもよく、水平方向両端とともに図５のように前方、あるいは他の方向に形成されてもよい。
【００２２】
前記消臭膜１２は、図２（ｂ）において、一例として、前記流出部（１１ｆ）の流出流路（１１ｎ）を斜めに横断するように逆ハの字状に２枚およびその間の狭い側に１枚を配置されている。消臭膜（１２）は、その表面積すなわち排気の通過面積が広くなるように、図３に示すように、２枚をＬ字形〔図３（ａ）参照〕に、また１枚を円弧状〔図３（ｂ）参照〕、あるいは、プリーツ（ひだ）状〔図５（ｃ）参照〕に配置してもよく、その他の配置構成でもよい。また、前記流出部（１１ｆ）のその他の形状の前記流出流路（１１ｎ）に応じて、消臭膜（１２）は、それぞれの流出流路（１１ｎ）を横断するように、適宜に配置される。なお、消臭膜（１２）は、図示しない支持体に支持されている。
【００２３】
前記ノズル１３は、図２（ｂ）において、前記流入部（１１ａ）の側面を貫通し前記流入流路（１１ｄ）内に伸びる前記消臭液供給配管（３２）の先端に前記逆止弁（３６）を介して連結され、流入流路（１１ｄ）のほぼ中央部に配置されている。消臭液は全ての前記消臭膜（１２）の全面に噴霧されることが必要であり、そのためにノズル（１３）は、必要に応じて流路内の適宜の位置、あるいは複数箇のノズル（１３）がそれぞれ適宜の位置に配置される。複数箇のノズル（１３）が使用される場合、まとめて１箇の逆止弁（３６）を設けてもよいが、箇々のノズル（１３）の直前にそれぞれ逆止弁（３６）を設けて構成することが望ましい。
【００２４】
前記消臭液供給ユニット（２０）は、図１において、一例として消臭液供給ユニットボックス（２１）内に、消臭液容器（２２）、図１には図示されない〔図４（ａ）に図示されている符号２３の〕消臭液供給ポンプ、図示されない制御機器および図示されない付属機器を収納して構成されている。消臭液容器は、使われる場所のにおいの種類に応じた薬液を収納できるように１つだけでも良く、また複数個でもよい。消臭液供給ユニットボックス（２１）の前面には操作スイッチ類（２４）が設けられ、内部保全用開口（２５）が形成され、内部保全用開口（２５）用の開閉扉（２６）が設けられている。消臭液容器カバー（２２ａ）により開閉および密封可能に構成されている。なお、操作スイッチ類（２４）および内部保全用開口（２５）は、消臭液供給ユニットボックス（２１）の側面に配置されてもよい。操作スイッチは、リモートコントロールできるように設置されても良い。
【００２５】
前記配管類（３０）は、図４および図１に示すように、前記消臭液供給ユニット（２０）における消臭液容器（２２）と消臭液供給ポンプ（２３）とを連結する消臭液吸入配管（３１）、消臭液供給ユニット（２０）と前記排気消臭ユニット（１０）とを連結するすなわち消臭液供給ポンプ（２３）と前記ノズル（１３）とを前記逆止弁（３６）を介して連結する前記消臭液供給配管（３２）、消臭液供給配管（３２）の途中から消臭液容器（２２）へ到るバイパス配管（３４）、バイパス配管（３４）の途中に設けられるオンオフ制御弁（３５）およびオンオフ制御弁用制御機器（３７）により構成されている。また、前記箱体（１１）のドレン排出口（１１ｍ）と消臭液容器（２２）との間にドレン配管（３３）が設けられている。逆止弁（３６）は、バネ式等のクラッキング圧力を所定の値に設定された形式のものが採用されている。オンオフ制御弁（３５）は、電磁弁、電動ボールバルブ等が採用されている。なお、バイパス配管（３４）、オンオフ制御弁（３５）およびオンオフ制御弁用制御機器（３７）は、前記消臭液供給ユニット（２０）の消臭液供給ユニットボックス（２１）内に収納配置されてもよい。
【００２６】
以上のように構成された排気消臭装置（１）は、以下のように作用する。すなわち、排気消臭ユニット（１０）において、流入部（１１ａ）の流入口（１１ｂ）から流入した臭気を含む排気は、流路すなわち流入流路（１１ｄ）および流出流路（１１ｎ）を通過して流出部（１１ｆ）の両端の流出口（１１ｇ）から外気中へ排気される。この間、排気が、消臭膜（１２）を通過する際、消臭膜（１２）に噴霧され捕集され担持された消臭液のミストが乾燥気化して、排ガスと接触し混合し、消臭液と接触し混合して消臭され、臭気の無い排気となって排出される。
【００２７】
図２に示す箱体（１１）において、流路は、流入部（１１ａ）の流入流路（１１ｄ）から連通口（１１ｅ）を通過し、流出部（１１ｆ）の流出流路（１１ｎ）を左右両側に分かれて流路断面積を拡大し、両端の流出口（１１ｇ）に到る。その結果、流路断面積が拡大した流出流路（１１ｎ）に、おいて排気の流速が低下し、消臭膜（１２）を通過する排気は排気抵抗が低下する。流出流路（１１ｎ）において、図２（ｂ）、図３（ａ）、（ｂ）に示すように、流路を斜めに横断してあるいは円弧状に配置される消臭膜（１２）はさらに面積が拡大し、排気の排気抵抗も同時に低下する。あるいは流出口（１１ｇ）において、図５に示すように一方向であってもよい。
【００２８】
消臭液は、流路の上流側から消臭膜（１２）の表面にノズル（１３）により噴霧される。すなわち、消臭液供給ユニット（２０）において、消臭液供給ポンプ（２３）を運転することにより、消臭液容器（２２）に貯留されている消臭液が消臭液吸入配管（３１）を経て吸引され、消臭液供給配管（３２）および逆止弁（３６）を経てノズル（１３）へ供給され、噴霧される。消臭液がノズル（１３）へ供給されている間、オンオフ制御弁（３５）はオフとされ、バイパス配管（３４）は不通状態とされ、逆止弁（３６）は消臭液の圧力がクラッキング圧力を超えて開いた状態となる。
【００２９】
消臭液は、図４（ｂ）に示すように、排気の臭気の程度および消臭液の消臭能力に応じて、間欠的に噴霧される。すなわち、消臭膜（１２）に所定時間噴霧された消臭液が排気の流れにより乾燥気化し排気とともに流出し消臭能力が落ちる時期を見計らって、所定時間噴霧し、この間欠噴霧の操作を繰返す。この間欠噴霧を行うため、オンオフ制御弁用制御機器（３７）に間欠噴霧の条件を設定し、オンオフ制御弁（３５）をオンオフし、バイパス配管（３４）を開閉（連通不通状態と）する。
【００３０】
消臭液の噴霧を停止する場合は、オンオフ制御弁用制御機器（３７）の制御信号によりオンオフ制御弁（３５）がオンとされ、バイパス配管（３４）が連通し、消臭液供給ポンプ（２３）から吐出された消臭液のうち消臭液供給配管（３２）を充満して余った余分がバイパス配管（３４）を経て消臭液容器（２２）へ戻る。その結果、消臭液供給配管（３２）内の消臭液の圧力が逆止弁（３６）のクラッキング圧力より下に低下し、逆止弁（３６）が瞬時に閉じ、ノズル（１３）からの噴霧が停止する。
消臭液供給ポンプ（２３）は、オンオフ制御弁（３５）のオン状態オフ状態に係らず、常時運転されている。従って、消臭液供給配管（３２）および消臭液供給配管（３２）からオンオフ制御弁（３５）迄のバイパス配管（３４）が常時消臭液で充満されており、噴霧開始時には、オンオフ制御弁（３５）のオフ動作に応じて配管圧力が上昇し、逆止弁（３６）が開き、その瞬間に、ノズル（１３）から消臭液が噴霧される。
【００３１】
ノズル（１３）は、その直前に逆止弁（３６）が配置されており、逆止弁（３６）が閉じたときに両部材間に残留する消臭液の量は僅かであり、消臭液がノズル（１３）からボタ落ちすることは殆んど無い。また、逆止弁（３６）は、クラッキング圧力を噴霧圧力に応じ適宜設定することにより、噴霧圧力付近の小さな圧力差で瞬時に開閉し、ノズル（１３）が逆止弁（３６）の開閉とほぼ同時に噴霧の開始および停止を行い、噴霧に至らない消臭液のボタ落ちが殆んど発生しない。
【００３２】
すなわち、消臭液は、その必要量がオンオフ制御弁（３５）およびオンオフ制御弁用制御機器（３７）により間欠的に噴霧されるので、無駄に消費されない。また、ノズル（１３）の直前に逆止弁（３６）が設けられていることにより消臭液の溜まる箇所が無く、消臭液供給ポンプ（２３）が常時運転されていることにより逆止弁（３６）の開閉とほぼ同時にノズル（１３）からの噴霧が開始および停止されるので、噴霧に至らない消臭液のボタ落ちが殆んど発生しない。また、消臭液の無駄をさらに排除するために、カレンダータイマーを使用するなどして、臭気が出る時間帯にプリセットしたり、排気ファンが回転すると同時に運転を開始し、消臭液の間欠噴霧がなされるようにセットしてもよい。
【００３３】
排気消臭装置（１）は、排気消臭ユニット（１０）が、通常のウェザーカバーと同様に、そのフランジ（１１ｃ）を家屋の外壁を貫通する換気扇用排気口に直接組付け可能に形成されていることおよび箱体（１１）が換気扇用排気口の屋外側に通常設置されるウェザーカバーと同等の厚みか、それよりも厚く、あるいは薄く構成することにより、ウェザーカバーと同等に近接する家屋間の狭い空間に設置することが可能である。また、箱体（１１）内における排気抵抗が低いことにより、強力な排気ファンを必要とせず、既設の排気ファンあるいは換気扇により十分排気が可能である。
【００３４】
消臭液供給ユニット（２０）についても、ウェザーカバーと同等の厚みとなるように構成することにより、同様に近接する家屋間の狭い空間に設置することが可能である。また、さらに保全しやすいよう室内に設置することも可能である。その場合は、操作スイッチ類（２４）および内部保全用開口（２５）を消臭液供給ユニットボックス（２１）の側面に配置したり、あるいは、スイッチをリモートコントロールできるようにしてもよい。しかし、消臭液供給ユニット（２０）は、排気消臭ユニット（１０）と分離されており、いろいろな経路に柔軟に対応して連結可能な細い配管により連結可能であることにより、また、消臭液の補給等の保全作業が必要であることから、操作および作業の容易な場所に設置することが可能である。例えば、アパートあるいはマンションでは、ベランダ等や、壁、室内に設置することも可能である。
【００３５】
上述のように、本発明による排気消臭装置（１）は家屋が密集した市街地等の家屋間の狭い空間に設置可能なように構成されているが、工場、ごみ収集処理施設、リサイクル処理施設等の臭気を含む排気に対しても、同様に適用可能である。
【図面の簡単な説明】
【００３６】
【図１】本発明の一実施例を示す排気消臭装置の構成図である。
【図２】本発明による排気消臭装置を構成する排気消臭ユニットであり、（ａ）は正面図、（ｂ）は正面図（ａ）における矢視ｂ−ｂ断面図である。
【図３】本発明による排気消臭装置を構成する排気消臭ユニットであり、（ａ）は図２（ｂ）に示す場合の排気の流れ図であり、（ｂ）は消臭膜の他の配置例とその場合の排気の流れ図である。
【図４】本発明による排気消臭装置における（ａ）は運転制御のための機器構成図であり、（ｂ）は運転制御図である。
【図５】本発明による排気消臭装置を構成する排気消臭ユニットであり、（ａ）は斜視図であり、（ｂ）は、内部構造を示す斜視図であり、（ｃ）は、消臭膜のさらに他の配置例とその場合の排気の流れ図である。
【符号の説明】
【００３７】
１      排気消臭装置
１０      排気消臭ユニット
１１      箱体
１１ａ    流入部
１１ｂ    流入口
１１ｃ    フランジ
１１ｄ    流入流路
１１ｅ    連通口
１１ｆ    流出部
１１ｇ    流出口
１１ｈ    開口
１１ｋ    開口カバー
１１ｍ    ドレン排出口
１１ｎ    流出流路
１２      消臭膜
１２ａ    Ｌ字型消臭膜
１２ｂ    円弧状消臭膜
１２ｃ    ひだ状消臭膜
１３      ノズル
２０      消臭液供給ユニット
２１      消臭液供給ユニットボックス
２２      消臭液容器
２２ａ    消臭液容器カバー
２３      消臭液供給ポンプ
２４      操作スイッチ類
２５      内部保全用開口
２６      開閉扉
３０      配管類
３１      消臭液吸入配管
３２      消臭液供給配管
３３      ドレン配管
３４      バイパス配管
３５      オンオフ制御弁
３６      逆止弁
３７      オンオフ制御弁用制御機器
【図１】
0005426808.tif 000002
【図２】
0005426808.tif 000003
【図３】
0005426808.tif 000004
【図４】
0005426808.tif 000005
【図５】
0005426808.tif 000006